(57)【特許請求の範囲】
【請求項１】
回転する羽根部を有し、筐体の外側に電源コードを接続する接続部が形成された換気扇と、
通風部が構成され、前記羽根部を覆うように換気扇に固定されたファンカバーと、
通風部が構成され、前記換気扇の前記ファンカバーと対向する位置に形成されて前記換気扇を収納するケース状の換気扇保護部材からなる換気装置であって、
前記換気扇保護部材に電源コード挿通口を形成し、この電源コード挿通口を通じて換気扇の接続部に前記電源コードを接続することにより、換気扇に固定されたファンカバーと換気扇保護部材との分離を不能としたことを特徴とする換気装置。
【請求項２】
前記換気扇保護部材には、前記通風部の外縁部からファンカバー方向に延出した抑止板が形成され、
この抑止板に電源コード挿通口を形成したことを特徴とする請求項１に記載の換気装置。
【請求項３】
前記ファンカバーには、抑止板が形成され、
前記換気扇保護部材には、前記通風部の外縁部からファンカバー方向に延出した抑止板が形成され、
それぞれの前記抑止板に、電源コード挿通口を形成したことを特徴とする請求項１又は請求項２に記載の換気装置。
【発明の詳細な説明】
【技術分野】
【０００１】
本発明は、電気機器収納用箱に取り付けられる換気装置の取付構造の改良に関する。
【背景技術】
【０００２】
従来から、電気機器を収納する電気機器収納用箱がある。電気機器は発熱し、また、電気機器は熱に弱いため、電気機器収納用箱には箱内の熱気を換気するための換気装置が設けられているのが一般的である。このような換気装置は、特許文献１や特許文献２に示されるように、換気扇、換気扇を収納するケース、ケースの排気口側を保護するファンカバー、ケースの吸気側を保護するフィンガガードとから構成され、これらはネジ等で固定されている。
【先行技術文献】
【特許文献】
【０００３】
【特許文献１】特開２００９−２１２３３７号公報
【特許文献２】特開２００８−１９６７１４号公報
【発明の概要】
【発明が解決しようとする課題】
【０００４】
換気扇を交換する場合には、ファンカバーやフィンガガードを、キャビネットの外部又は内部から簡単に取り外すことができるので、回転する換気扇に指等が触れてしまう可能性があり、危険であるという問題があった。
例えば、特許文献１に記載の発明は、円筒形状のケースの両開口部にそれぞれファンカバー及びフィンガガードを螺着させた構造のものである。このため、換気扇が回転中であっても、容易にファンカバーやフィンガガードをケースから取り外すことができ、危険であるという問題があった。
本発明は、上記問題を解決し、安全に換気扇を交換することができる換気装置を提供することを目的とする。
【課題を解決するための手段】
【０００５】
上記課題を解決するためになされた請求項１に記載の発明は、
回転する羽根部を有し、筐体の外側に電源コードを接続する接続部が形成された換気扇と、
通風部が構成され、前記羽根部を覆うように換気扇に固定されたファンカバーと、
通風部が構成され、前記換気扇の前記ファンカバーと対向する位置に形成されて前記換気扇を収納するケース状の換気扇保護部材からなる換気装置であって、
前記換気扇保護部材に電源コード挿通口を形成し、この電源コード挿通口を通じて換気扇の接続部に前記電源コードを接続することにより、換気扇に固定されたファンカバーと換気扇保護部材との分離を不能としたことを特徴とする。
【０００６】
請求項２に記載の発明は、請求項１に記載の発明において、
前記換気扇保護部材には、前記通風部の外縁部からファンカバー方向に延出した抑止板が形成され、
この抑止板に電源コード挿通口を形成したことを特徴とする。
これにより、作業者がファンカバーと換気扇保護部材から換気扇から取り外そうとしても、電源コード挿通口に挿通している電源コードが電源コード挿通口に当接するため、換気扇を換気扇保護部材から取り外すことができない。このため、作業者がファンカバーと換気扇保護部材と分離して換気扇を取り出すには電源コードを接続部から外して電源コード挿通口から引き抜く必要があるので、確実に換気扇が停止した状態で取り外しを行うことができるので安全である。
【０００７】
請求項３に記載の発明は、請求項１又は請求項２に記載の発明において、
前記ファンカバーには、抑止板が形成され、
前記換気扇保護部材には、前記通風部の外縁部からファンカバー方向に延出した抑止板が形成され、
それぞれの前記抑止板に、電源コード挿通口を形成したことを特徴とする。
これにより、作業者が電気機器収納用箱の内部にアクセスして、換気扇をファンカバーと換気扇保護部材から取り外そうとしても、電源コード挿通口に挿通している電源コードが電源コード挿通口に当接するため、換気扇をファンカバーから取り外すことができない。このため、作業者がファンカバーと換気扇保護部材を分離して換気扇を取り外すには、電源コードを接続部から外して電源コード挿通口から引き抜く必要があるので、確実に換気扇が停止した状態で取り外しを行うことができるので安全である。
【発明の効果】
【０００８】
本発明によれば、換気扇に駆動電流を供給する電源コードを接続部から抜かなければ、ファンカバーと換気扇保護部材を分離することができない。このため、確実に換気扇が停止した状態で取り外しを行うので安全に換気扇の交換作業を行うことが可能となる。
【図面の簡単な説明】
【０００９】
【図１】電気機器収納用箱の斜視図である。
【図２】第１の実施形態の換気装置の斜視図である。
【図３】図２の別角度からの斜視図である。
【図４】第１の実施形態の換気装置の分解斜視図である。
【図５】（Ａ）図２のＡ−Ａ断面図である。（Ｂ）係合部の断面図である。
【図６】図２のＢ−Ｂ断面図である。
【図７】ファンカバーと換気扇保護部材の取付状態を表した断面図である。
【図８】第１の実施形態の換気装置の換気用開口への取付状態斜視図である。
【図９】ファンカバーと換気扇の取付状態を表した分解斜視図である。
【図１０】換気扇保護部材の別例の斜視図である。
【図１１】第２の実施形態の分解斜視図である。
【図１２】第３の実施形態の換気装置の下方からの斜視図である。
【図１３】第３の実施形態の異なる角度からの斜視図である。
【図１４】第３の実施形態のファンカバー及び換気扇保護部材の分解斜視図である。
【発明を実施するための形態】
【００１０】
（本発明の概要）
以下に図面を参照しつつ、本発明の好ましい実施の形態（第１の実施形態）を示す。図１において、９００は電気機器収納用箱であり、１００は第１の実施形態の換気装置である。なお、電気機器収納用箱９００には、開閉可能又は着脱可能に扉９００ｃが取り付けられ、この扉９００ｃを開けることにより、電気機器収納用箱９００の内部にアクセスすることができるようになっている。
【００１１】
図８の（Ａ）に示されるように、電気機器収納用箱９００の正面、側面、後面、又は、天井面のいずれかの取付面９００ａには換気用開口９００ｂが形成されている。換気装置１００は、換気用開口９００ｂから電気機器収納用箱９００内に埋め込まれた状態で、換気用開口９００ｂに取り付けられている。換気装置１００は、電気機器収納用箱９００の内部の空気を排気し、或いは、電気機器収納用箱９００の内部に空気を吸気することにより、電気機器収納用箱９００内を換気するものである。
【００１２】
換気装置１００は、図４に示されるように、ファンカバー１０、換気扇２０、換気扇保護部材３０とから構成されている。本実施形態では、ファンカバー１０及び換気扇保護部材３０は、合成樹脂で構成されている。図９に示されるように、換気扇２０は、後述する係合脚部１０ｑ及び係合突起１０ｒによりファンカバー１０に固定され、ファンカバー１０は換気扇保護部材３０に保持される。ファンカバー１０は、換気扇２０の吸気口もしくは排気口の一方を保護し、換気扇保護部材３０の開口部３０ｄに被着される。
【００１３】
図９に示されるように、ケース状に形成された、ファンカバー１０と対向する位置に形成された換気扇保護部材３０の側板部３０ｂの一つの面には、電源コード挿通口３０ｃが形成されている。換気装置１００を換気用開口９００bに取り付けた後電源コード８００のコネクタ８００ａが、電源コード挿通口３０ｃに挿通し、換気扇２０の接続部である接続端子２０ｈに接続している。電源コード８００により、換気扇２０に駆動電流が供給される。コネクタ８００ａは、塩化ビニル樹脂等の樹脂で構成され、ブロック形状である。コネクタ８００ａが接続端子２０ｈに接続された状態では、コネクタ８００ａは電源コード挿通口３０ｃから外部に突出している。なお、本実施形態においてコネクタ８００aは２線の電源コードをまとめたブロック状のものとしたが、２線それぞれに圧着スリーブ端子などを形成し、接続端子２０ｈに取り付けを行うものであっても良い。その場合においても、圧着スリーブ端子が電源コード挿通口３０ｃから外部に突出することが望ましい。
【００１４】
図９に示されるように、換気扇２０はファンカバー１０に取付けされている。以下に詳細を記載する。ファンカバー１０の対向する一対の枠部１０ａから傾斜脚部１０ｑが複数垂下形成されている。傾斜脚部１０ｑの下端の内側には、係合突起１０ｒが形成されている。係合突起１０ｒは換気扇２０の軸方向への移動を抑制するものであり、図示していないが、ファンカバー１０にねじ止め用のねじ孔、もしくは後述する換気扇２０の取付孔２０ｆに係止される突起を形成し、水平方向への移動を抑制するように形成してある。本実施形態においては係合突起等を設けて保持しているものであるが、ねじ等で直接ファンカバー１０に取り付けるものであっても良い。
【００１５】
図２、図３はファンカバー１０、換気扇２０、換気扇保護部材３０からなる換気装置１００に、電源コード８００を換気扇保護部材３０の抑止板となる側板部３０ｂの電源コード挿通口３０cに挿通した状態を示したものである。この電源コード８００を挿通された状態では換気扇２０がファンカバー１０に取付けされているため、ファンカバー１０と換気扇保護部材３０を分離させようとした場合には電源コード８００のコネクタ８００ａがコネクタ挿通口３０ｃの周縁部３０ｃａ及び周縁部３０ｃｂが抑止部となり当接するために分離することが出来ないようになっている。そのため、ファンカバー１０と換気扇保護部材３０が分離可能となる場合には確実に換気扇２０が停止された状態となっているために安全に作業できるものである。このようにファンカバー１０と換気扇保護部材３０の一方に換気扇の取付部、他方に換気扇の電源コード挿通口を形成するため分離ができず、例えば換気扇保護部材の一方のみに換気扇取付部及び電源コード挿通口を形成すると電源コードを挿通しした状態でもファンカバーは分離可能となってしまうものである。図２や図３、図９記載の構造については換気扇保護部材３０の側板部３０ｂが電源コード挿通口３０ｃを設けた抑止板となるため簡単な構成でファンカバー１０と換気扇保護部材３０の分離が出来ないように形成することができるものである。このため、分離可能な状態となった場合には換気扇２０は駆動されていない状態となっており安全に使用できるものである。
【００１６】
（ファンカバーの構造の説明）
図２や図４に示されるように、ファンカバー１０は、略板状であり、枠状の枠部１０ａと、枠部１０ａの内側に形成された通風部１０ｂが一体に構成されている。枠部１０ａは、換気用開口９００ｂよりも大きく形成されている。図６に示されるように、枠部１０ａの対向する辺の裏側には、換気扇保護部材３０の開口部３０ｄと係止する係止凹部１０ｈが形成されている。この係止凹部１０ｈについては、後で詳細に説明する。通風部１０ｂには、多数の連通孔が形成されていて、通風可能となっている。
【００１７】
図２や図４に示されるように、対向する一対の枠部１０ａには、係合部１０ｃが形成されている。係合部１０ｃは、図５の（Ｂ）に示されるように、断面形状が略Ｕ字形状であり、枠部１０ａと接続する固定片１０ｄと、固定片１０ｄと対向し固定片１０ｄの下端に接続する可動片１０ｅとから構成されている。可動片１０ｅは、固定片１０ｄ側に弾性的に変形可能となっている。可動片１０ｅの外側の上下方向中間部分には、係合突起１０ｆが形成されている。可動片１０ｅの上端である自由端には、操作部１０ｇが形成されている。
【００１８】
換気装置１００を換気用開口９００ｂに挿入させると、図５の（Ｂ）に示されるように、係合突起１０ｆが換気用開口９００ｂの内側に乗り越えて進入し、係合突起１０ｆが換気用開口９００ｂに係合し、換気装置１００が換気用開口９００ｂに固着される。図５の（Ａ）に示されるように、換気装置１００が換気用開口９００ｂに固着されている状態では、ファンカバー１０は、換気用開口９００ｂの外側の取付面上９００ａに配置されている。具体的には、ファンカバー１０の通風部１０ｂは、換気用開口９００ｂを覆い、ファンカバー１０の枠部１０ａは、換気用開口９００ｂの周縁の取付面９００ａ上に配設されている。
【００１９】
操作部１０ｇが押圧されると、係合突起１０ｆと換気用開口９００ｂとの係合状態が解除され、換気装置１００を換気用開口９００ｂから取り外すことができる。図２や図４に示される実施形態では、枠部１０ａの一方の辺の中央に１つの係合部１０ｃが形成されている。枠部１０ａの向かい合う他方の辺の前記係合部１０ｃと対向しない位置に２つの係合部１０ｃが形成されている。対向する辺に係合部１０ｃを一つずつ形成するものであっても良い。
【００２０】
（換気扇の説明）
図４〜図６に示されるように、本実施形態では、換気扇２０は、扁平な円筒体２０ｄの両端にフランジ状の取付部２０ｅが形成された筐体２０ａと、この筐体２０ａの内部に回転可能に軸着された羽根部２０ｂと、羽根部２０ｂに回転力を付与するモータ２０ｃとから構成されている。なお、取付部２０ｅの外縁は、四角形状であり、四隅に取付孔２０ｆが形成されている。係合突起１０ｒが換気扇２０の取付部２０ｅに係合し、換気扇２０が吊り下げられた状態で、ファンカバー１０の裏面側に取り付けられ、換気扇保護部材３０により換気扇２０が覆われるように形成し、電気機器収納用箱９００の内部に配設される。この状態では、換気扇２０は、筐体２０ａの上側開口が通風部１０ｂと対向しているので、回転する羽根部２０ｂへの指等への接触が防止される。
【００２１】
円筒体２０ｄの外側の取付孔２０ｆの近傍には、モータ２０ｃと電気的に接続している接続端子２０ｈが設けられている。接続端子２０ｈは、換気扇２０の外側に向かって突出している。このため、接続端子２０ｈに接続されるブロック状のコネクタ８００ａが換気扇２０の外側に向かって突出する。
【００２２】
（換気扇保護部材の説明）
換気扇保護部材３０は、換気扇２０の吸気口または排気口に形成されたファンカバー１０と取付可能に形成されるものである。つまり、換気扇保護部材３０はファンカバー１０と対向する位置に取り付けるものである。換気扇保護部材３０は、図４に示されるように、板状の通風部３０ａと、通風部３０ａの少なくとも対向する一対の外縁辺から通風部３０ａの形成方向と略直交する方向に（ファンカバー１０方向に）延出する側板部３０ｂとから構成されたケース形状である。本実施形態では側板部３０ｂは、通風部３０ａの全ての外縁辺から上方に延出形成されている。通風部３０ａには、孔状又はスリット状の通気孔が多数連通形成され、指など侵入できないように形成している。図５に示されるように、換気扇２０は換気扇保護部材３０の内部に収納され、換気扇２０の筐体２０ａの下側開口部に対向する位置に、通風部３０ａが位置しているので、回転する羽根部２０ｂへの指等の接触が防止される。
【００２３】
側板部３０ｂには、少なくとも何れか一つの面には、電源コード挿通口３０ｃが形成されている。本実施形態では、電源コード挿通口３０ｃは、同一の側板部３０ｂに２つ並列して形成されている。これにより、電源コード挿通口３０ｃの一方はコネクタ８００ａを、他方の電源コード挿通口３０ｃやアース線などを入線させる開口にすることもでき、更に、換気扇２０の表裏を変更しても、電源コード８００を電源コード挿入孔３０ｃに挿入して接続端子２０ｈに接続することができる。このため、換気装置１００を排気用と吸気用に切り替えて使用することができる。
【００２４】
（ファンカバーと換気扇保護部材との取付構造の説明）
図６及び図７を用いて、ファンカバー１０と換気扇保護部材３０との取付構造について説明する。図６や図７に示されるように、対向する一対の枠部１０ａの外縁からは、係止片１０ｉが垂下形成されている。係止片１０ｉは、外側に弾性的に変形可能となっている。図７に示されるように、係止片１０ｉの下端には、内側に突出した係止突起１０ｊが形成されている。係止突起１０ｊの上部には、内側に向かって徐々に低くなるように傾斜した傾斜面１０ｋが形成されている。枠部１０ａ及び係止片１０ｉにより囲まれる空間により、係止凹部１０ｈが形成されている。
【００２５】
図６に示されるように、対向する一対の側板部３０ｂの上端部、つまり、換気扇保護部材３０の開口部３０ｄの対向する辺には、ファンカバー１０の係止凹部１０ｈと係止する、被係止部３０ｅが形成されている。被係止部３０ｅは、図７に示されるように、当接片３０ｆ、傾斜片３０ｇ、被係止片３０ｈとから構成されている。当接片３０ｆは、側板部３０ｂの上端付近外側から、外側に水平方向に（側板部３０ｂの形成方向と略直交する方向に）延出形成されている。傾斜片３０ｇは、当接片３０ｆの先端から、外側斜め上方に延出形成されている。傾斜片３０ｇの外面は、傾斜面１０ｋと同一傾斜角度である。被係止片３０ｈは、傾斜片３０ｇの先端から、上方に延出形成されている。本実施形態では図６に示すように通風部３０ａの外縁辺全てより側板部３０ｂを形成している。
【００２６】
図７の（Ａ）に示されるように、被係止片３０ｈが係止凹部１０ｈ内に進入して、被係止部３０ｅが係止凹部１０ｈに係止している。この状態では、傾斜片３０ｇの外面と傾斜面１０ｋとは密着している。係止突起１０ｊの傾斜面１０ｋは傾斜片３０ｇの外面に密接しているので、ファンカバー１０の上方への移動が規制され、ファンカバー１０が、換気扇保護部材３０から脱落しないようになっている。なお、係止突起１０ｊの下端面と、当接片３０ｆの下面とは、同一平面上にある。換気装置１００が換気用開口９００ｂに取り付けられている状態では、図７の（Ａ）に示されるように、当接片３０ｆが換気用開口９００ｂの周縁の取付面９００ａに当接し、すなわち、ファンカバー１０と換気扇保護部材３０の取付部となる係止凹部１０ｈ及び被係止部３０ｅがファンカバー１０と取付面９００ａの間に形成され、係止凹部１０ｈ及び被係止部３０ｅの係止を外す後述の操作部が取付面９００ａに隠されているためにファンカバー１０と換気扇保護部材３０を取り外すことができず、更に係合部１０ｃにより電気機器収納用箱９００に係合されており、換気装置１００の電気機器収納用箱９００内部への脱落が防止される。
【００２７】
次に、ファンカバー１０を換気扇保護部材３０から取り外す手順について説明する。電源コード８００を接続端子２０ｈから取り外した後に、換気装置１００を換気用開口９００ｂから取り外し、係止突起１０ｊの押圧部１０ｔを上方（ファンカバー１０が換気扇保護部材３０から離れる方向）に押圧する。すると、図７の（Ｂ）に示されるように、傾斜面１０ｋと傾斜片３０ｇの外面が滑動して、係止片１０ｉが外側に変形しながらファンカバー１０が換気扇保護部材３０から離れ、係止突起１０ｊが、傾斜片３０ｇを乗り越えると（図７の（Ｃ）の状態）、係止凹部１０ｈと被係止部３０ｅの係止状態が解除され、ファンカバー１０が換気扇保護部材３０から取り外される。本実施形態においては、係止突起１０ｊの取付面９００ａと水平で上方に押圧する押圧部１０ｔがファンカバー１０と換気扇保護部材３０の取り外しを行う操作部となるものである。また、係止辺１０ｉの外側面に取付面９００ａに沿うように形成された突起部を形成して操作部を形成するものであって良い。
【００２８】
まず、図８に示すように電気機器収納用箱９００の換気用開口９００ｂに換気装置１００を取り付ける場合においては、電源コード８００のコネクタ８００ａは、換気用開口９００ｂの縁部を横切るように形成させているため、コネクタ８００ａを接続端子２０ｈから取り外さなければ、コネクタ８００ａが換気扇の分離を抑制する抑止板となる取付面９００ａに当接し、換気用開口９００ｂを通過することができず、換気装置１００を換気用開口９００ｂから取り外すことができない。また、図７に示すように、換気装置１００が換気用開口９００ｂに取り付けられている状態では、係止凹部１０ｈと被係止部３０ｅは、枠部１０ａの裏面と換気用開口９００ｂ周縁の取付面９００ａとの間に位置していて、係止凹部１０ｈと被係止部３０ｅを分離させる操作部となる押圧部１０ｔにアクセスすることができない。つまり、換気用開口９００ｂの周縁の取付面９００ａが操作部の操作を抑制する操作抑制部となる。このため、換気装置１００を換気用開口９００ｂから取り外さなければ、係止凹部１０ｈと被係止部３０ｅの係止状態を解除することができず、ファンカバー１０を換気扇保護部材３０から取り外すことができない。また、換気装置１００を換気用開口９００ｂから取り外すには、電源コード８００を接続端子２０ｈから引き抜く必要があり、換気装置１００を電気機器収納用箱９００から取り外した状態では羽根部２０ｂが回転していないので、ファンカバー１０を換気扇保護部材３０から取り外しても安全である。このように、ファンカバー１０を取り外した状態では、換気扇２０に電源コード８００が接続されておらず、換気扇２０に駆動電流が供給されず、羽根部２０ｂが回転しないので、安全に換気扇２０の交換作業を行うことが可能となる。
【００２９】
なお、ファンカバー１０及び換気扇保護部材３０には、それぞれ、係止凹部１０ｈ及び被係止部３０ｅが形成されていなくても差し支え無い。この実施形態の場合もまた、接続端子２０ｈにコネクタ８００ａが接続されている状態で、ファンカバー１０を換気用開口９００ｂから取り外そうとすると、ファンカバー１０の移動に伴い換気扇２０も移動するので、コネクタ８００ａが電源コード挿通口３０ｃの外縁と当接し、ファンカバー１０を排気用開口９００ｂから取り外すことができない。ファンカバー１０を排気用開口９００ｂから取り外すには、コネクタ８００ａを電源コード挿通口３０ｃから引き抜く必要がある。
【００３０】
なお、電源コード挿通口３０ｃの幅を、コネクタ８００ａの幅よりも僅かに大きい寸法に形成すると、コネクタ８００ａが接続端子２０ｈに接続している状態で、ファンカバー１０を換気用開口９００ｂから取り外そうとすると、コネクタ８００ａが電源コード挿通口３０ｃの外縁に当接し、コネクタ８００ａが接続端子２０ｈから外れる。
【００３１】
（換気扇保護部材の別例）
以下に、図１０を用いて、換気扇保護部材３０の別例について説明する。図１０の（Ａ）に示されるように、換気扇保護部材３０は、通風部３０ａの対向する一対の外縁辺のみから側板部３０ｂが形成された構造であっても差し支え無い。この構造であっても、換気扇２０の筐体２０ａの下方側開口部は、通風部３０ａで保護されているので、回転する羽根部２０ｂへの指等の接触が防止される。また、換気扇２０はファンカバー１０に保持されており、従来の構造と同様に電源コード８００を電源コード挿通口３０ｃから挿通しするため、電源コード挿通口３０ｃの周縁部３０ｃａ及び周縁部３０ｃｂが抑止部となり、ファンカバー１０と換気扇保護部材３０の分離を妨げる構造となっている。
【００３２】
或いは、図１０の（Ｂ）に示されるように、側板部３０ｂに当接辺３０ｆを形成すること無く、電源コード挿通口３０ｃに挿通されたコネクタ８００ａで、換気扇保護部材３０を掛止させる構造であっても差し支え無い。また、図１０の（Ｂ）に示されるような換気扇保護部材３０を、換気扇２０にネジ止め等で取り付けても差し支え無い。
この図１０の（Ｂ）に示される構造であっても、作業者が電気機器収納用箱９００の内部にアクセスして、換気扇保護部材３０を取り外そうとしても、電源コード挿通口３０ｃに挿通しているコネクタ８００ａが邪魔をして、換気扇保護部材３０を換気扇２０から取り外すことができない。このため、作業者が電気機器収納用箱９００の内部にアクセスして、換気扇保護部材３０を換気扇２０から取り外すには、コネクタ８００ａを電源コード挿通口３０ｃから引き抜く必要がある。
【００３３】
（第２の実施形態）
図１１を用いて、第２の実施形態の換気装置２００について、第１の実施形態の換気装置１００と異なる点について説明する。第２の実施形態の換気装置２００は、換気扇保護部材３０とファンカバー１０の両方にそれぞれ、電源コード挿通口３０ｃ、電源コード挿通口１０ｐが形成されている実施形態である。ファンカバー１０の枠部１０ａから抑止板１０ｎを垂下形成し、この抑止板１０ｎに電源コードコネクタ挿通口１０ｐを形成した構造で、同様に換気扇保護部材３０に電源コード挿通口３０ｃを有する抑止板となる側板部３０ｂが形成してある。この換気装置２００もまた、ファンカバー１０に係合脚部１０ｑ及び係合突起１０ｒにより換気扇２０が保持されており、コネクタ８００ａを電源コード挿通口３０ｃ及び、電源コード挿通口１０ｐから引き抜かなければ、抑止部となる電源コード挿通口３０ｃの周縁部３０ｃａ，周縁部３０ｃｂ及び電源コード挿通口３０ｐの周縁部３０ｐａ、３０ｐｂにより換気装置２００を換気用開口９００ｂから取り外すことも、ファンカバー１０を換気扇保護部材３０から取り外すこともできない。このため、換気扇２０交換時には、換気扇２０に電流が供給されていないので、安全に換気扇２０を交換することができる。なお、本実施形態において、換気扇２０は換気扇保護部材３０に取付られていても、ファンカバー１０と換気扇保護部材３０の分離を行うことができないものである。図１１記載の構造については換気扇保護部材３０の側板部３０ｂが電源コード挿通口３０ｃを設けた抑止板、更にファンカバー１０より垂下形勢した電源コード挿通口１０ｐを有する抑止板１０ｎを形成した構造のため、第１の実施形態より強固に形成されているのでファンカバー１０と換気扇保護部材３０の分離が出来ないように形成することができるものである。このため、分離可能な状態となった場合には換気扇２０は駆動されていない状態となっており安全に使用できるものである。
【００３４】
（第３の実施形態）
図１２から図１４に第３の実施形態の換気装置３００について示す。ファンカバー１０において、換気扇保護部材３０側の面の対角線に換気扇固定部１０ｓ及び係合突起１０ｒを形成している。本実施形態においては、係合突起１０ｒにより換気扇２０を保持し、換気扇固定部１０ｓの突起によりファンカバー１０に固定させる構造である。本実施形態において換気扇固定部１０ｓは突起としているが、ねじ孔とし、ファンカバー１０に換気扇２０を固定させる構造であっても良いものである。
【００３５】
換気扇保護部材３０には電源コード挿通口３０ｃを形成しており、電源コード８００のコネクタ８００ａを挿通した状態ではファンカバー１０と換気扇保護部材３０を分離させようとした場合には電源コード８００のコネクタ８００ａが抑止部となる電源コード挿通口３０ｃの周縁部３０ｃａ及び周縁部３０ｃｂに当接することにより分離できないように形成されている。本実施形態においては換気扇保護部材３０に形成しているものであるが、換気扇保護部材３０に抑止板、ファンカバー１０及び換気扇保護部材３０共に抑止板を取り付けた構造であっても問題ないものである。この場合、換気扇２０はファンカバー１０に固定されているため、電源コード８００を差込された状態で分離させようとしても電源コード挿通口３０ｃの周縁に電源コードが当接するために分離させることができないものである。また、ノックアウト部３０ｐのような形態にしておけば使用したい電源コード挿通口３０ｃのみを切り離して使用することが可能である。
【００３６】
図１３及び図１４において、枠部１０ａに、係合部１０ｃが一つの辺のみに形成されている。第１の実施形態に比較して幅広に形成した係合部１０ｃとなっている。係合部１０ｃを幅広に形成することにより、電気機器収納用箱９００に換気装置３００を安定して保持できるため、係合部１０ｃを設けた枠部１０ａと対向する位置に形成した対向する枠部１０ａに係合部１０ｃ設けることなく保持できるものである。また、換気扇保護部材３０の通風部３０ａと抑止板となる側板部３０ｂとを傾斜をもたせた連結部３０ｎが形成されており、連結部３０ｎには通風のための開口が形成されている。これにより、通風経路が側部にも設けられると共に換気扇２０と通風部３０ａの距離を連結部３０ｎ分だけ離すことができるため、換気扇２０と換気扇保護部材３０の干渉がなくなり、干渉時に生じる騒音を低減させることができるものである。
【００３７】
また、換気扇保護部材３０の当接片３０ｆを形成した辺の電気機器収納用箱９００側となる面には補強部３０ｐ，３０ｑが形成してある。電気機器収納用箱９００に取付する際に補強部３０ｐ、３０ｑは傾斜を持たせて形成しているので換気用開口９００ｂに案内させるものである。また、換気装置３００は換気用開口９００ｂには係合部１０ｃを１つのみで保持されるため、取り付けた後に水平方向にずれる可能性があるが、換気装置３００を取り付けた後、補強部３０ｐ、３０ｑが電気機器収納用箱９００の換気用開口９００ｂの端面に当接するように形成しているため、水平方向への移動を抑制させることが可能となるものである。
【００３８】
また、図１３から図１４において、ファンカバー１０と換気扇保護部材３０の係止構造に示す。第１の実施形態の図７に示すようなファンカバー１０の係止凹部１０ｈに換気扇保護部材３０の被係止片３０ｅに係止される構造は同様であるが、枠部１０ａの係合部１０ｃが形成された辺及び対向する枠部１０ａの一部のみに係止凹部１０ｈを形成し、換気扇保護部材３０には係止凹部１０ｈに対応する位置に被係止部３０ｅを設けたものである。本実施形態においては枠部１０ａの1辺に係止凹部１０ｈを２箇所、係止凹部１０hに対応する位置に被係止部３０ｅを形成している。ファンカバー１０及び換気扇保護部材３０の係止箇所を全体に形成すると取付が強固になるものであるが、一部に形成することにより取外を容易にするものである。また、係止箇所の数は第３の実施形態の構造に限るものではない。
【００３９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う換気装置もまた技術的範囲に包含されるものとして理解されなければならない。     
【符号の説明】
【００４０】
１０      ファンカバー
１０ａ    枠部
１０ｂ    通風部
１０ｃ    係合部
１０ｄ    固定片
１０ｅ    可動片
１０ｆ    係合突起
１０ｇ    操作部
１０ｈ    係止凹部
１０ｉ    係止片
１０ｊ    係止突起
１０ｋ    傾斜面
１０ｎ    抑止板
１０ｐ    電源コード挿通口
１０ｐａ  周縁部
１０ｐｂ  周縁部
１０ｑ    係合脚部
１０ｒ    係合突起
１０ｓ    換気扇固定部
１０ｔ    押圧部
２０      換気扇
２０ａ    筐体
２０ｂ    羽根部
２０ｃ    モータ
２０ｄ    円筒体
２０ｅ    取付部
２０ｆ    取付孔
２０ｈ    接続端子
３０      換気扇保護部材
３０ａ    通風部
３０ｂ    側板部
３０ｃ    電源コード挿通口
３０ｃａ  周縁部
３０ｃｂ  周縁部
３０ｄ    開口部
３０ｅ    被係止部
３０ｆ    当接片
３０ｇ    傾斜片
３０ｈ    被係止片
３０ｉ    下孔
３０ｊ    係止部
３０ｋ    係止凹部
３０ｍ    係止凹部
３０ｎ    連結部
３０ｐ    補強部
３０ｑ     補強部
３０ｒ     ノックアウト部
４０      換気扇保護部材（第２の実施形態）
４０ａ    取付孔
１００    第１の実施形態の換気装置
２００    第２の実施形態の換気装置
３００    第３の実施形態の換気装置
８００    電源コード
８００ａ  コネクタ
９００    電気機器収納用箱
９００ａ  取付面
９００ｂ  換気用開口
９００ｃ  扉
【図１】
0005768262.tif 000002
【図２】
0005768262.tif 000003
【図３】
0005768262.tif 000004
【図４】
0005768262.tif 000005
【図５】
0005768262.tif 000006
【図６】
0005768262.tif 000007
【図７】
0005768262.tif 000008
【図８】
0005768262.tif 000009
【図９】
0005768262.tif 000010
【図１０】
0005768262.tif 000011
【図１１】
0005768262.tif 000012
【図１２】
0005768262.tif 000013
【図１３】
0005768262.tif 000014
【図１４】
0005768262.tif 000015